【事件の表示】
　特願２００３−　６６０３９「ネットワークを通した機器情報の提供装置及びその方法」拒絶査定不服審判事件〔平成１５年１１月２１日出願公開、特開２００３−３３０８２５〕について、次のとおり審決する。
【結　論】
　本件審判の請求は、成り立たない。
【理　由】
第１．手続きの経緯
　　
　本願は、平成１５年３月１２日（パリ条約による優先権主張２００２年３月１２日、大韓民国（ＫＲ））の出願であって、平成１８年７月２７日付けで拒絶査定がなされ、これに対して平成１８年１０月２４日に拒絶査定に対する審判が請求されるとともに、同日付けで手続補正がなされたものである。
　
　
第２．平成１８年１０月２４日付けの手続補正について
　　
　平成１８年１０月２４日付けの手続補正は、補正前の請求項１、５及び１０を削除し、請求項２、８及び１１を新たな請求項１、４及び８とし、補正前の請求項３、４、６、７、９、１２、１３及び１４をそれぞれ新たな請求項２、３、５、６、７、９、１０及び１１としたものであって、特許法第１７条の２第４項第１号の請求項の削除を目的とするものであり、適法になされた補正であると認める。
　
　
第３．本願発明について
　
１．本願発明
　
　本願の請求項１に係る発明（以下、「本願発明」という。）は、平成１８年１０月２４日付け手続補正書の請求項１に記載された事項により特定される、以下のとおりのものである。
　　
　「【請求項１】ホーム内機器から受信した登録要請メッセージに基づき前記ホーム内機器の基本情報、サービスリスト、及びステータスパラメータリストのうち少なくとも一つを含む機器情報をデータベーススキーマに変換するメッセージ処理部と；
　前記ホーム内機器の前記変換された機器情報が保存される保存部と；
　前記ホーム内機器の情報提供要請に応答して前記保存部に保存されているＸＭＬ形式の前記機器情報に対するトランザクションを処理するデータ処理部と；
　ユーザから前記機器に対する情報提供要請時前記データ処理部から伝達された前記ＸＭＬ形式の前記機器情報に基づきウェブページ形式の機器情報を生成して前記メッセージ処理部に提供する情報生成部と；を含み、
　前記メッセージ処理部は、前記ホーム内機器がアクティブ状態か否かを点検するポーリングメッセージを出力し前記ホーム内機器から受信した前記ポーリングメッセージに対する応答メッセージに基づき前記保存部に保存されている前記ホーム内機器の機器情報を更新することを特徴とするネットワークを通した機器情報の提供装置。」
　
２．引用例
　　
　原査定の拒絶の理由に引用された特開２００２−７４２１号公報（以下、「引用例」という。）には、図面とともに、以下の事項（ア）〜（コ）が記載されている。
　　
（ア）
「【請求項１】  ネットワークを介してサービスを提供するサービス提供方法において、
サービスを提供するサービス提供装置の動的属性情報をサービス検索装置に登録し、該サービス検索装置による前記動的属性情報の検索結果に基づいて提供するサービスを選択させることを特徴とするサービス提供方法。
【請求項２】  前記動的属性情報は、
該動的属性情報の参照方法を含む静的情報として前記サービス検索装置に登録され、
前記サービス検索装置は、
前記静的情報に基づいて前記動的属性情報を参照して取得することを特徴とする請求項１記載のサービス提供方法。」（第２頁第１欄）
　
（イ）
「【０００１】
【発明の属する技術分野】この発明は、サービス提供方法および装置並びにサービス検索装置に関し、特に、ネットワーク上で共有する資源の選択を容易に行うことのできるサービス提供方法および装置並びにサービス検索装置に関する。
【０００２】
【従来の技術】近年、ネットワーク技術の発展に伴って、ネットワーク上の資源を共有して使用することが多くなってきた。ネットワーク上の資源には、プリンタやスキャナ、ファイル等、様々なものがある。
【０００３】ネットワーク上の資源を共有する際には、当該ネットワークが小規模なものであれば、利用者は資源の種別やアクセス方法等を容易に知り得ることができるが、ネットワークの規模がある程度以上大きなものとなれば、利用者は資源の種別やアクセス方法等を容易に知り得ることができなくなる。
【０００４】このため、特開平５−２７４２３９号公報記載の「ネットワーク資源選択方式」では、資源の利用を支援するサーバが、自サーバに所属する資源をその特徴を表わす属性情報によって管理し、ネットワーク内のコンピュータが資源を利用する際に目的とする資源の属性情報を取得し、その属性情報に応じて目的とする資源を選択するようにしている。
【０００５】
【発明が解決しようとする課題】しかしながら、上述した「ネットワーク資源選択方式」では、資源の属性情報の登録作業や資源を利用するための設定作業をネットワーク管理者や利用者に強いているため、特別な管理者による管理がなされていないインターネットのような環境に対しては不向きなものであった。
【０００６】そこで、この発明は、資源の属性情報の登録作業や資源を利用するための設定作業を軽減し、利用者が容易に目的の資源を選択することのできるサービス提供方法および装置並びにサービス検索装置を提供することを目的とする。」（第２頁第２欄〜第３頁第３欄）
　
（ウ）
「【００２１】
【発明の実施の形態】以下、この発明に係るサービス提供方法および装置並びにサービス検索装置の一実施の形態について、添付図面を参照して詳細に説明する。
【００２２】図１は、この発明を適用したサービス提供システムの構成を示すブロック図である。
【００２３】同図に示すように、サービス提供システムは、プリンタ等の資源をサービスとして提供するサービス提供装置１と、サービス提供装置１のプロファイル情報の登録先となる検索サーバ２、検索サーバ２へのプロファイル情報の登録時に必要に応じてサービス提供装置１の認証を行う認証サーバ３を具備し、それぞれがインターネット１を介して接続されている。なお、サービス提供装置１、検索サーバ２、認証サーバ３は、それぞれ複数を接続してもよい。
【００２４】サービス装置１のプロファイル情報は、当該サービス装置１が提供するサービスの特徴を示す仕様情報を表すメタデータ情報（情報についての情報）と、これをコンテンツとして表現したコンテンツ情報、サービスを参照・利用するためのエージェントソフトウェアの少なくとも１つから構成されるものである。
【００２５】なお、以下の説明では、メタデータ情報やコンテンツ情報のように時間の経過に関わらず内容が変化しない情報を静的属性情報と呼び、サービス提供装置１の稼働状態、資源の残量等の時間の経過とともに内容が変化する情報を動的属性情報と呼ぶ。」（第３頁第４欄〜第４頁第５欄）
　
（エ）
「【００２６】次に、サービス提供装置１について説明する。図２は、サービス提供装置１のハードウェア構成を示すブロック図であり、図３は、サービス装置１のソフトウェア構成を示した図である。
【００２７】サービス提供装置１は、図２に示すように、ＣＰＵ（Ｃｅｎｔｒａｌ  Ｐｒｏｃｅｓｓｉｎｇ  Ｕｎｉｔ）１１とメモリ１２、ＨＤＤ（Ｈａｒｄ  ＤｉｓｋＤｒｉｖｅ）１３、ＮＩＣ（Ｎｅｔｗｏｒｋ  Ｉｎｔｅｒｆａｃｅ  Ｃａｒｄ）１４、外部Ｉ／Ｆ１５を具備して構成される。
【００２８】ＣＰＵ１１は、ＨＤＤ１３に記憶されているソフトウェアに基づいて動作し、メモリ１２は、ＣＰＵ１１が動作する際の作業領域等に利用される。ＨＤＤ１３は、ＣＰＵ１１を動作させるソフトウェアや各種データ等のファイルを記憶する。ＮＩＣ１４は、インターネット１０と接続するためのインタフェイスであり、外部Ｉ／Ｆ１５は、プリンタ４０等の周辺機器を接続するためのインタフェイスである。なお、外部Ｉ／Ｆ１５に接続される周辺機器は、プリンタ４０に限らず、スキャナやＦＡＸ等でもよく、複数の周辺機器を接続することもできる。
【００２９】また、サービス提供装置１は、図３に示すように、マルチタスクＯＳ５０を採用しており、このマルチタスクＯＳ５０上で複数のタスク、例えば、ＨＴＴＰサーバタスク５１とサービス提供タスク５２、プロファイル情報管理タスク５３、システムコントロールタスク５４を起動させることで、各種サービスを提供するサーバ機能を実現する。なお、ＨＴＴＰサーバタスク５１とサービス提供タスク５２、プロファイル情報管理タスク５３、システムコントロールタスク５４の各タスクは、マルチタスクＯＳ５０が提供するメッセージキュー等のタスク間通信により、起動通知等のメッセージを交換する。
【００３０】ＨＴＴＰサーバタスク５１は、インターネット１０上のＨＴＭＬブラウザが、サービス提供装置１の設定・管理用のインタフェイスや、稼働状況や使用できる用紙の種類等の現在使用可能な資源を取得するためのインタフェイスを提供する。なお、これらの情報は、特定のＵＲＩ（Ｕｎｉｆｏｒｍ  ＲｅｓｏｕｒｃｅＩｄｅｎｔｉｆｉｅｒｓ）を指定することで取得できるようにする。（略）
【００３１】サービス提供タスク５２は、外部Ｉ／Ｆ１５に接続された周辺機器を利用したプリントサーバ、スキャナサーバ、ＦＡＸサーバ等の機能を実現する。
【００３２】プロファイル管理タスク５３は、サービス提供タスク６１の起動通知を受信した場合に、プロファイル情報を生成し、ＳＬＰ（Ｓｅｒｖｉｃｅ  Ｌｏｃａｔｉｏｎ  Ｐｒｏｔｏｃｏｌ）あるいはＤＨＣＰ（Ｄｙｎａｍｉｃ  Ｈｏｓｔ  Ｃｏｎｆｉｇｕｒａｔｉｏｎ  Ｐｒｏｔｏｃｏｌ）等を利用して発見したプロファイル情報の登録先である検索サーバ２にプロファイル情報を登録する。なお、プロファイル情報の登録についての詳細は、後述する。
【００３３】システムコントロールタスク５４は、マルチタスクＯＳ５０上で動作する全てのタスクの管理制御を行う。」（第４頁第５欄〜同頁第６欄）
　
（オ）
「【００３４】ところで、サービス提供装置は、単一のサービスを提供するにとどまらず、複数のサービスを提供することもできる。図４は、複数のサービスを提供する場合のサービス提供装置の構成を示すブロック図である。
【００３５】同図に示すように、複数のサービスを提供するサービス提供装置は、プリンタモジュール６０とＦＡＸモジュール７０、スキャナモジュール８０を具備して構成され、各モジュールは、装置内ローカルネット１００を介して接続されている。また、各モジュールのハードウェア構成とソフトウェア構成は、基本的に上述したサービス提供装置１（図２、３参照）と同様である。
【００３６】プリンタモジュール６０は、ＨＴＴＰサーバ６１を動作させるとともに、検索エンジン６２を具備し、インターネット１０に接続されている。また、ＦＡＸモジュール７０は、ＨＴＴＰサーバ７１を動作させるとともに、公衆回線網９０に接続され、ＦＡＸ送受信を行い、スキャナモジュール８０は、ＨＴＴＰサーバ８１を動作させている。
【００３７】この構成では、各モジュール上で動作するＨＴＴＰサーバ６１、７１、８１が協調して動作することで、インターネット１０上のＨＴＭＬブラウザからは１つのＨＴＴＰサーバに対するアクセスと同様の処理が可能となる。また、検索サーバ６２は、ＨＴＴＰサーバ６１がＨＴＴＰサーバ７１、８１から所望の情報を取得する際に必要に応じて検索処理を行う。なお、ここでは、プリンタモジュール６０をインターネット１０に接続するように構成しているが、インターネット１０への接続は、ＦＡＸモジュール７０、スキャナモジュール８０から行ってもよく、この場合には、検索エンジン６２は、インターネット１０への接続を行うモジュールに搭載されることになる。」（第４頁第６欄〜第５頁第７欄）
　
（カ）
「【００３８】次に、検索サーバ２について説明する。図５は、検索サーバ２のソフトウェア構成を示すブロック図である。
【００３９】検索サーバ２は、サービス提供装置１と同様にマルチタスクＯＳにより動作し、マルチタスクＯＳ上でデータベース２１とＷｅｂＤＡＶ（Ｗｅｂ−ｂａｓｅｄＤｉｓｔｒｉｂｕｔｅｄ  Ａｕｔｈｏｒｉｎｇ  Ｖｅｒｓｉｏｎｉｎｇ）サーバ２２、ＨＴＴＰサーバ２３、検索エンジン２４を起動している。なお、検索サーバ２のハードウェア構成は、図２に示したサービス提供装置１の構成からプリンタ４０を除いた構成（接続しておいてもよいが、その場合のプリンタはサービスとして提供されるものではない）であるため、説明は省略する。
【００４０】データベース２１は、プロファイル情報やコンテンツ情報、サービス提供装置１の動的属性を取得するためのエージェントソフトウェア等のサービス提供装置から登録される種々の情報を蓄積する。
【００４１】ＷｅｂＤＡＶサーバ２２は、ＨＴＴＰの拡張命令であり、ＨＴＴＰサーバ上のドキュメントを分散編集する機能を提供するものである。主な機能としては、ドキュメントの蓄積機能、ドキュメントのロック機構、ドキュメントのバージョン管理機構、ドキュメントを格納するためのフォルダ作成機能を有する他、ドキュメントのプロパティを付与することができ、プロパティ値の変更機能、プロパティの検索機能を併せて提供するものである。そして、この機能により、サービス提供装置１が登録する情報をデータベース２１に登録する。
【００４２】ＨＴＴＰサーバ２３は、データベース２１に登録されているプロファイル情報やコンテンツ情報をＨＴＭＬ形式に変換し、インターネット１０上のＨＴＭＬブラウザへ応答する。
【００４３】検索エンジン２４は、データベース２１内の情報を検索するためのインタフェイスと検索機能を提供する。」（第５頁第７欄〜同頁第８欄）
　
（キ）
「【００４４】次に、図６を参照して、サービス提供装置１が検索サーバ２へ情報を登録する際の処理を説明する。図６は、登録処理の流れを示すフローチャートである。
【００４５】まず、サービス装置１の管理者が、ＨＴＴＰサーバタスク５１が提供する管理画面からサービスの提供開始を指示すると、システムコントロールタスク５４がサービス提供タスク５２を起動する（ステップ１０１）。
【００４６】次に、プロファイル情報管理タスク５３が、サービス提供タスク５２の起動完了通知を受信すると、予めＨＤＤ１３や不揮発性のメモリ（不図示）等に記録されている登録先の情報を取得する（ステップ１０２）。このとき、ＳＬＰを用いて検索サーバを検索し、発見した検索サーバのＵＲＩを取得するるようにしてもよい。
【００４７】続いて、プロファイル管理タスク５３が、図７に示すような当該サービスのプロファイル情報を生成する（ステップ１０３）。なお、プロファイル情報を生成する代わりにＨＤＤ１３や不揮発性のメモリ（不図示）等に予め記録しておいたプロファイル情報を取得してもよい。
【００４８】プロファイル情報を生成若しくは取得すると、プロファイル管理タスク５３は、当該プロファイル情報を検索サーバ２へ送信して登録し（ステップ１０４）、登録処理を終了する。」（第５頁第８欄）
　
（ク）
「【００５０】ここで、図７に示したプロファイル情報について説明する。図７は、プロファイル情報の記述例であり、ここでは、ＸＨＴＭＬ表記を用いて記述している。
【００５１】図７に示した例では、ＨＥＡＤタグで括られている５行目から１０行目がサービスの仕様情報を表すメタデータ情報であり、ＷｅｂＤＡＶのプロパティとして登録される。
【００５２】５行目の記述は、提供するサービスの種類がプリントサービスであることを示しており、６行目の記述は、プリントサービスへの参照方法としてＩＰＰ（Ｉｎｔｅｒｎｅｔ  Ｐｒｉｎｔｉｎｇ  Ｐｒｏｔｏｃｏｌ）を利用していることを示している。
【００５３】７行目の記述は、プリンタの概要情報として、連絡窓口用のパブリックプリンタである旨が示されている。８行目の記述は、カラー印字対応の有無を示し、９行目の記述は、プリンタの印字速度を示している。
【００５４】１０行目の記述は、プリンタの動的属性情報であるプリンタの状態（ｓｔａｔｕｓ）を示しており、その値を示すｃｏｎｔｅｎｔには、プリンタの状態を取得するためのＵＲＩが記述されている。この例の場合では、プリンタの状態を取得するためにＪＡＶＡ（登録商標）アプレットを使用し、アプレットへの引数としてｓｔａｔｕｓという文字列が渡されている。このアプレットは、http://www.fujixerox.co.jp/printerで示されるプリンタからダウンロードされ、ｓｔａｔｕｓという引数を与えて起動することで、プリンタの状態を表す文字列を出力する。
【００５５】また、ＢＯＤＹタグで括られている１３行目の記述は、サービスのコンテンツ情報を表している。
【００５６】１５行目の記述は、プリンタを利用するためのエージェントプログラム名を示しており、１６行目の記述は、エージェントプログラムの種別がＪＡＶＡアプレットであることを示している。１７行目の記述は、プログラムのエンコードを種類を示しており、１８乃至２２行目の記述は、エージェントプログラムの本体を表している。
【００５７】ところで、サービスの動的属性情報を取得するために画像データを参照する場合には、a href=ipp://fujixerox.co.jp/printer/img SRC=status.gif/aのような情報をＢＯＤＹタグで括られた部分に記述すればよい。」（第５頁第８欄〜第６頁第９欄）
　　
（ケ）
「【００５８】次に、検索サーバ２の基本動作について説明する。図８は、検索サーバ２の動作の流れを示した図である。
【００５９】まず、ユーザにより、インターネット１０上のＨＴＭＬブラウザから検索条件が入力されると（ステップ２０１）、ＨＴＴＰサーバ２３は、これを受信して解析し、検索エンジン２４に検索処理依頼を行う（ステップ２０２）。処理依頼を受けた検索エンジン２４は、データベース更新部（データベース２１の一部であり、不図示）に対して、データベース２１に登録されている情報が最新のものとなるように更新依頼を行う（ステップ２０３）。更新依頼を受けたデータベース更新部は、登録されているコンテンツ情報に含まれるエージェントへのリンクを参照してサービス提供装置１の動的属性情報を取得し（ステップ２０４）、取得した動的属性情報をデータベース２１に登録・更新するとともに（ステップ２０５）、更新処理の終了を検索エンジン２４に通知する（ステップ２０６）。
【００６０】更新終了の通知を受けた検索エンジン２４は、先に指定された検索条件に基づいて、データベース２１を検索し（ステップ２０７）、その結果をＨＴＴＰサーバ２３に返す（ステップ２０８）。
【００６１】検索結果を受けたＨＴＴＰサーバ２３は、当該検索結果を表示するためのＨＴＭＬデータを作成し（ステップ２０９）、作成したＨＴＭＬデータを検索結果としてＨＴＭＬブラウザに返す（ステップ２１０）。
【００６２】なお、ここで説明した動作では、データベースの更新を検索処理毎に行っているが（ステップ２０３参照）、データベースの更新は、一定間隔で行ってもよく、登録されたデータのライフタイムを経過したタイミングで行ってもよい。」（第６頁第９欄〜同頁第１０欄）
　
（コ）
「【００６８】
【発明の効果】以上説明したように、この発明によれば、サービス提供装置が提供するプロファイル情報の登録をサービス提供装置が自立的に行うように構成したので、ネットワーク管理者や利用者がサービスを利用するための設定作業を行う必要はなく、利用者が検索サーバを利用して発見した所望のサービスを検索終了後直ちに利用することが可能となる。」（第６頁第１０欄）
　
　ここで、上記記載事項（カ）の段落【００４１】の記載を参照すると、ＷｅｂＤＡＶサーバは、ドキュメントの蓄積機能、ドキュメントを格納するためのフォルダ作成機能等を提供するものであって、「この機能により、サービス提供装置が登録する情報をデータベースに登録する」と記載されていることから、当該ＷｅｂＤＡＶサーバは、サービス提供装置が登録する情報をデータベースに登録する機能を提供するものと言える。
　
　したがって、上記引用例には、以下の発明（以下、「引用発明」という。）が記載されている。
　　
　「インターネットに接続されたサービス提供装置から受信した、当該サービス提供装置が提供するサービスの特徴を示す仕様情報を表すメタデータ情報と、これをコンテンツとして表現したコンテンツ情報等の静的属性情報、及び当該サービス提供装置の稼働状態、資源の残量等の動的属性情報、を含むプロファイル情報をデータベースに登録する機能を提供するＷｅｂＤＡＶサーバと、
　前記サービス提供装置のプロファイル情報が登録される前記データベースと、
　ユーザにより前記インターネット上のＨＴＭＬブラウザから検索条件が入力されると、前記データベースに登録されているＸＨＴＭＬ表記の前記プロファイル情報を検索する検索エンジンと、
　ユーザにより前記サービス提供装置に対する上記検索条件が入力されると、データベース更新部により前記サービス提供装置の前記プロファイル情報は最新のものとなるように更新され、前記検索エンジンは、先に指定された検索条件に基づいて当該更新されたデータベースを検索し、その検索結果から前記ＨＴＭＬブラウザで表示するためのＨＴＭＬデータを作成するＨＴＴＰサーバと、
　該作成したＨＴＭＬデータをインターネットを介して前記ＨＴＭＬブラウザに返す手段と、
　を含み、
　前記データベース更新部による前記プロファイル情報の更新は、登録されているコンテンツ情報に含まれるエージェントへのリンクを参照してサービス提供装置の前記動的属性情報を取得し、取得した動的属性情報をデータベースに登録・更新することでなされるものであり、当該データベースの更新は、前記検索条件の入力による検索処理毎に行うが、一定間隔で行ってもよいものである、インターネットを通したプロファイル情報の検索結果をＨＴＭＬブラウザに返す検索サーバ。」　
　
３．対比
　　
　本願発明と引用発明とを対比すると、引用発明に記載された「サービス提供装置」、「データベース」及び「ユーザ」は、本願発明の「機器」、「保存部」及び「ユーザ」に相当する。
　
　引用発明に記載された「インターネットに接続されたサービス提供装置」は、引用例における上記記載事項（エ）を参照すると、インターネットに接続されたプリンタ、スキャナ或いはＦＡＸ等の機器であるから、本願発明の「ホーム内機器」とは、「ネットワークに接続された機器」である点で一致する。
　
　引用発明に記載された「メタデータ情報」は、サービス提供装置が提供するサービスの特徴を表す仕様情報を表すものであり、当該サービス提供装置の種類（プリンタ、スキャナ等）とそのサービスに関する仕様を含んでいると言えることから、本願発明の「基本情報」及び「サービスリスト」に相当する。よって、引用発明に記載された「プロファイル情報」は、サービス提供装置が提供するサービスの特徴を示す仕様情報を表すメタデータ情報と、これをコンテンツとして表現したコンテンツ情報等の静的属性情報、及び当該サービス提供装置の稼働状態、資源の残量等の動的属性情報、を含む情報のことであるから、本願発明に記載された、基本情報、サービスリスト、及びステータスパラメータリストのうち少なくとも一つを含む「機器情報」に相当する。
　
　引用発明に記載された「ＷｅｂＤＡＶサーバ」は、「プロファイル情報をデータベースに登録する機能を提供する装置」であるから、本願発明の「機器情報をデータベーススキーマに変換するメッセージ処理部」とは、「機器情報を処理する処理部」である点で一致する。
　
　引用発明に記載されたデータベースにおいて、前記処理部で処理されたプロファイル情報が登録されることは、本願発明の保存部において、前記変換された機器情報が保存されることに対し、「前記処理された機器情報が保存される」点で一致する。
　
　引用発明に記載された「検索エンジン」は、データベースに登録されているプロファイル情報を検索する装置であるから、本願発明に記載された、保存部に保存されている機器情報に対するトランザクションを処理する「データ処理部」に相当する。
　
　引用発明に記載された「ＨＴＭＬデータ」は、プロファイル情報をＨＴＭＬブラウザで表示するために作成されるデータであるから、本願発明における、機器情報に基づき生成される「ウェブページ形式の機器情報」に相当する。
　
　引用発明に記載されたＨＴＴＰサーバは、前記検索エンジンにより検索された検索結果であるプロファイル情報からＨＴＭＬブラウザで表示するためのＨＴＭＬデータを作成しており、さらに、引用発明に記載された検索サーバは、前記ＨＴＴＰサーバが作成する前記ＨＴＭＬデータを、インターネットを介して前記ＨＴＭＬブラウザに返す手段を含むことから、前記ＨＴＴＰサーバは、当該ＨＴＭＬブラウザにＨＴＭＬデータを返すための、インターネットを介して送信する手段に、作成したＨＴＭＬデータを提供していると言える。したがって、引用発明に記載されたＨＴＴＰサーバは、本願発明に記載された、ウェブページ形式の機器情報を生成してメッセージ処理部に提供する情報生成部とは、「ウェブページ形式の機器情報を生成して処理手段に提供する情報生成部」である点で一致する。
　
　引用発明に記載された、インターネットに接続されたサービス提供装置の「稼働状態」の情報は、本願発明に記載されたホーム内機器の「アクティブ状態か否か」の情報に相当し、引用発明のデータベース更新部において、一定間隔で、インターネットに接続されたサービス提供装置の稼働状態等の動的属性情報を取得し、データベースを更新することは、本願発明のメッセージ処理部において、ネットワークに接続された機器がアクティブ状態か否かを点検し、保存部に保存されている前記ネットワークに接続された機器の機器情報を更新することに相当する。
　
　引用発明に記載された、インターネットを通したプロファイル情報の検索結果をＨＴＭＬブラウザに返す「検索サーバ」は、本願発明における、ネットワークを通した機器情報の「提供装置」に相当する。
　
　以上のことから、本願発明と引用発明は、以下の点で一致ないし相違する。
　　
＜一致点＞
　「ネットワークに接続された機器から受信した前記ネットワークに接続された機器の基本情報、サービスリスト、及びステータスパラメータリストのうち少なくとも一つを含む機器情報を処理する処理部と；
　前記ネットワークに接続された機器の前記処理された機器情報が保存される保存部と；
　前記保存部に保存されている前記機器情報に対するトランザクションを処理するデータ処理部と；
　前記データ処理部から伝達された前記機器情報に基づきウェブページ形式の機器情報を生成して処理手段に提供する情報生成部と；を含み、
　前記ネットワークに接続された機器がアクティブ状態か否かを点検し前記保存部に保存されている前記ネットワークに接続された機器の機器情報を更新することを特徴とするネットワークを通した機器情報の提供装置。」
　　
＜相違点＞
　相違点１
　ネットワークに接続された機器は、本願発明では、「ホーム内」機器であるのに対し、引用発明では、「インターネットに接続された」機器である点。
　
　相違点２
　機器情報は、本願発明では、ネットワークに接続された機器から受信した「登録要請メッセージ」に基づき処理されるのに対し、引用発明には、「登録要求メッセージ」との記載は無い点。
　
　相違点３
　機器情報を処理する処理部は、本願発明では、機器情報を保存部に保存するための、「データベーススキーマに変換するメッセージ処理部」であるのに対し、引用発明には、そのような変換処理の記載がされていない点。
　
　相違点４
　保存部に保存されている機器情報は、本願発明では、「ＸＭＬ」形式であるのに対し、引用発明では、「ＸＨＴＭＬ」表記である点。
　
　相違点５
　データ処理部が、保存部に保存されている機器情報に対するトランザクションを処理するのは、本願発明では、ホーム内機器の「情報提供要請」に応答してなされるのに対し、引用発明では、ユーザによりインターネット上のＨＴＭＬブラウザから検索条件が入力される時であって、そのような「情報提供要請」との記載は無い点。
　
　相違点６
　情報生成部が、ウェブページ形式の機器情報を生成するのは、本願発明では、ユーザから機器に対する「情報提供要請時」であるのに対し、引用発明では、ユーザによりサービス提供装置に対する検索条件が入力される時であって、そのような「情報提供要請時」との記載は無い点。
　
　相違点７
　ネットワークに接続された機器がアクティブ状態か否かを点検して、保存部に保存されている機器情報を更新するのは、本願発明では、メッセージ処理部が、ポーリングメッセージを出力し、当該機器から受信したポーリングメッセージに対する応答メッセージに基づいて行うのに対し、引用発明では、データベース更新部が機器情報を更新するものの、ポーリングメッセージとその応答メッセージに関する記載が無い点。
　
　相違点８
　本願発明では、ネットワークに接続された機器からの機器情報を処理する装置、情報生成部が生成したウェブページ形式の機器情報の提供を受ける装置、及び、ネットワークに接続された機器がアクティブ状態か否かを点検し、機器情報を更新する装置は、すべて、メッセージ処理部であるのに対し、引用発明では、ネットワークに接続された機器からの機器情報を処理するのはＷｅｂＤＡＶサーバであり、ウェブページ形式の機器情報の提供を受けるのは、当該情報をＨＴＭＬブラウザに返す処理手段であり、また、ネットワークに接続された機器がアクティブ状態か否かを点検し、機器情報を更新する装置はデータベース更新部である点。
　
４．当審の判断
　　
　上記相違点について検討する。
　　
　相違点１について
　家庭内の電子機器、すなわちホーム内機器を互いにネットワークで接続し、当該機器に対する制御をネットワークを介して行う、いわゆるホームネットワークシステムは、例えば、特開平１０−１９１４６３号公報（段落【０００１】〜【０００７】の記載を参照）及び特開平１１−１８７０６１号公報（段落【０００１】、【０００７】〜【００１３】、【００２６】〜【００３２】、【００９４】〜【０１０２】、【０１１６】〜【０１２１】の記載を参照）に記載されるように周知技術である。したがって、引用発明に記載された機器が接続されるネットワークに対し、当該周知技術であるホームネットワークシステムを適用し、引用発明における前記ネットワークに接続された機器を、本願発明と同様にホーム内機器の構成とすることは、当業者が容易に想到し得ることである。
　
　相違点２について
　上記引用例の記載事項（キ）を参照すると、引用発明に記載のネットワークに接続された機器は、ユーザによって自らの機器情報をネットワークを通して保存部であるデータベースに登録するものである。したがって、引用発明に記載された、当該機器情報をデータベースに登録する機能を提供する処理部であるＷｅｂＤＡＶサーバは、ネットワークに接続された機器から当該機器情報を受けることでデータベースへの登録の要請を受けると言えるものである。そして、登録の要請としてメッセージによる要請は、当業者が適宜設計し得る事項であるから、引用発明に記載された上記処理部において、ネットワークに接続された機器から登録の要請をメッセージで受ける本願発明と同様の構成とすることは、当業者が容易に想到し得るものである。
　
　相違点３について
　引用発明に記載された機器情報を処理する処理部であるＷｅｂＤＡＶサーバは、機器情報を受信して、保存部であるデータベースに登録する機能を提供するものである。そして、データベースに情報を登録する際は、当該情報をデータベースの構造に合ったデータ形式に変換することは、当業者が必要に応じて設計し得る事項であるから、引用発明に記載された上記処理部において、本願発明と同様に、機器情報をデータベーススキーマに変換する構成とすることは、当業者が容易に想到し得ることである。
　
　相違点４について
　文書構造を記述するためのマークアップ言語の一つであるＸＨＴＭＬ（Extensible HyperText Markup Language）は、ＨＴＭＬ（HyperText Markup Language）をＸＭＬ（Extensible Markup Language）の文法で定義し直した言語であって、結局、ＸＨＴＭＬで記述された文書はＸＭＬ文書と言えることは、当業者にとって技術常識であるから、引用発明に記載の機器情報の「ＸＨＴＭＬ」表記を、本願発明と同様に、周知の「ＸＭＬ」形式とすることは、当業者が容易に想到し得ることである。
　
　相違点５及び６について
　引用発明に記載された「ＨＴＭＬブラウザ」は、上記引用例の記載事項（エ）及び（ケ）を参照すると、当該ＨＴＭＬブラウザが接続するインターネットに接続されたサービス提供装置の機器情報を取得するため、ユーザにより、当該機器情報の検索条件を入力するためのものである。したがって、当該ＨＴＭＬブラウザは、ネットワークに接続された機器の上で動作するインターフェースであって、ユーザが当該機器において検索条件を入力することは、所望の機器に対する機器情報の提供を要請するものであると言える。
　よって、引用発明において、ユーザにより前記インターネット上のＨＴＭＬブラウザから検索条件が入力されると、データ処理部が保存部に保存されている情報機器に対するトランザクションを処理することは、本願発明において、ネットワークに接続された機器の情報提供要請に応答して、データ処理部が保存部に保存されている情報機器に対するトランザクションを処理することに相当し、また、引用発明において、ユーザによりサービス提供装置に対する検索条件が入力されると、情報生成部がウェブページ形式の機器情報を生成することは、本願発明において、ユーザから前記機器に対する情報提供要請時、情報生成部がウェブページ形式の機器情報を生成することに相当する。
　
　相違点７について
　引用発明に記載されたデータベース更新部は、登録されているコンテンツ情報に含まれるエージェントへのリンクを参照して、ネットワークに接続された機器がアクティブ状態か否かを点検するものであるから、当該データベース更新部から機器に対して点検を行うものであり、また、当該点検による機器情報の更新は、一定間隔で行ってもよいとの記載があることから、ネットワークに接続された各機器に対して定期的に点検がなされるものと言える。そして、ネットワークに接続された各機器に対して定期的な点検を行う方法として、ポーリングメッセージを各機器に送信し、その応答メッセージに基づいて点検を行うポーリング方式は、引用例を挙げるまでもなく、ネットワークの技術分野において周知技術であることから、引用発明に記載のデータベース更新部がネットワークに接続された機器がアクティブ状態か否かを点検するのに、一定間隔で行う手段として、上記周知技術を適用し、ポーリングメッセージを出力し、当該出力を受けた機器から受信した前記ポーリングメッセージに対する応答メッセージに基づき行う本願発明と同様の構成とすることは、当業者が容易になし得ることである。
　
　相違点８について
　引用発明に記載された、ネットワークに接続された機器からの機器情報を処理するＷｅｂＤＡＶサーバ、ウェブページ形式の機器情報の提供を受けて当該情報をＨＴＭＬブラウザに返す処理手段、及び、ネットワークに接続された機器がアクティブ状態か否かを点検し、機器情報を更新するデータベース更新部は、すべて、引用発明に記載された検索サーバの内部の装置であるから、これらの装置を一体として、本願発明と同様の構成とすることは、当業者が適宜設計し得る事項である。
　
　そして、本願発明のように構成したことによる効果も、上記引用発明及び周知技術から予測できる程度のものである。
　　
　　
第４．むすび
　　
　以上のとおり　本願発明は、上記引用発明及び周知技術に基づいて、当業者が容易に発明をすることができたものであるから、特許法第２９条第２項の規定により特許を受けることができない。
　したがって、本願は、他の請求項について論及するまでもなく、拒絶すべきものである。
　　
　よって結論のとおり審決する。